(57)【特許請求の範囲】
【請求項１】
勾配磁場を発生するための第１のコイルと、
前記第１のコイルからの漏洩磁場を低減するための第２のコイルと、
刺激信号を発生するための刺激装置とを具備し、
前記第１のコイルは、静磁場方向に沿って所定の距離を隔てて並列される２つのコイルセグメントを有し、前記刺激装置は、前記２つのコイルセグメントの間において組み込まれていることを特徴とする勾配磁場コイル。
【請求項２】
勾配磁場を発生するための第１のコイルと、
前記第１のコイルからの漏洩磁場を低減するための第２のコイルと、
刺激信号を発生するための刺激装置とを具備し、
前記第１のコイルは、電流の静磁場方向に沿った空間的な電流分布において、前記勾配磁場の発生に直接的に寄与する有効電流成分が静磁場方向に沿って所定の距離を隔てて２か所に分布されるように形成され、前記刺激装置は、前記有効電流成分の間において組み込まれていることを特徴とする勾配磁場コイル。
【請求項３】
前記第１のコイルと前記第２のコイルは、所定の撮像領域における磁場強度の線形性を確保するように形成されることを特徴とする請求項１又は２記載の勾配磁場コイル。
【請求項４】
前記第１のコイルと前記被検体との間に設けられる電磁シールド部材をさらに備えることを特徴とする請求項１又は２記載の勾配磁場コイル。
【請求項５】
前記電磁シールド部材は、前記刺激信号が前記被検体に伝達可能となるように、前記刺激装置と前記被検体とに挟まれる領域の少なくとも一部において、網状又はスリットが設けられた導体により形成されることを特徴とする請求項４記載の勾配磁場コイル。
【請求項６】
前記電磁シールド部材は、前記刺激信号が前記被検体に伝達可能となるように、前記刺激装置と前記被検体とに挟まれる領域の少なくとも一部において、透明な導体により形成されることを特徴とする請求項４記載の勾配磁場コイル。
【請求項７】
前記刺激装置と前記被検体との間に設けられ、前記刺激装置から前記被検体への前記刺激信号の伝達経路を変更する手段をさらに備えることを特徴とする請求項４記載の勾配磁場コイル。
【発明の詳細な説明】
【０００１】
【発明の属する技術分野】
本発明は、磁気共鳴映像装置に係り、特に、撮像領域に勾配磁場を印加するための勾配磁場コイルに関する。
【０００２】
【従来の技術】
近年、医用診断装置の開発が進められるなかで、磁気共鳴映像装置（ＭＲＩ）の研究開発が活発に行われている。磁気共鳴映像法はよく知られているように、固有の磁気モーメントを持つ核スピンの集団が一様な静磁場中に置かれた時に、特定の周波数で回転する高周波磁場のエネルギーを共鳴的に吸収する現象を利用して、物質の化学的および物理的な微視的情報を映像化する方法である。同方法は、生体の形態情報をハイコントラストで画像化できるばかりではなく、血液等の流れ情報、拡散情報、化学シフト情報、酸化／還元ヘモグロビンの磁化率の差を利用した脳機能情報等のさまざまな機能情報も画像化できる方法として、大きな注目を集めている。
【０００３】
特に、上述の脳機能画像化法はＢＯＬＤ(Blood Oxygenation Level Dependent) 法と呼ばれ、体内に造影剤を入れることのない無侵襲な方法であり、医学者／大脳生理学者により活発に使用されている。この脳機能イメージングでは、通常、被検体の視覚／聴覚／触覚などに対して様々な刺激を与えたときの画像と与えないときの画像との差分をとり、刺激時のわずかな信号変化を捉えている。このため、被検体はある期間内で連続的に刺激を受けることになり、被検体へ与える苦痛をできるだけ少なくする方法や装置が求められている。
【０００４】
ＢＯＬＤ法はフィールドエコー法により画像化できるが、撮像に長い時間がかかってしまう。これに対し、エコープラナー法（ＥＰＩ）と呼ばれる超高速撮像を用いることで撮像時間を大幅に短縮することができ、刺激による脳の活性化の時間変化までも捉えることができるようになっている。また、ＥＰＩは血液の流入による信号増加の影響が少ないという特長を持つため、脳の活性化領域をフィールドエコー法よりも忠実に画像化できると言われている。
【０００５】
ＥＰＩを実施するには、２０[mT/m]以上もの勾配磁場を０．１[msec]程度という短い時間でスイッチングする必要がある。この実現方法のひとつとして、頭部専用の小口径勾配磁場コイルが使用されている。これは、口径を小さくすることで単位電流の生成する磁場の大きさが大きくなり、全身用勾配磁場コイルと比較してインダクタンスが数分の一となるため、同じ供給電流でより大きな勾配磁場強度が得られるためである。勾配磁場コイルの内直径としては、頭部より広く、肩幅より狭い３００〜３２０[mm]程度がとられている。
【０００６】
ところで、勾配磁場のスイッチングに伴って超伝導マグネットの熱シールド群やヘリウム容器上には渦電流が誘起される。これらの渦電流は、勾配磁場の時間的および空間的性質を変調し、これらは画像ぼけ等の重大な画像劣化の原因となる。この問題を避けるため、漏洩磁場シールド型勾配磁場コイル（アクティブシールド勾配磁場コイル：ＡＳＧＣ）が提案されている。ＡＳＧＣは、円筒面上の電流分布によって内部に勾配磁場を生成する主コイルと、それを取り囲むような円筒面上の電流分布によって主コイルから外部に漏洩する漏洩磁場をほぼゼロに打ち消すためのシールドコイルとから構成される同軸２重円筒形状のコイルである。
【０００７】
近年のイメージング法では大きな勾配磁場強度を必要とするため、スライス用勾配磁場や位相エンコード用勾配磁場による渦電流の影響は益々大きくなっている。このため、小口径勾配磁場コイルもＡＳＧＣであることがのぞましい。小口径ＡＳＧＣを用いて脳機能イメージングを行う場合、視覚等への刺激を行うことが実際上難しくなる。この理由を以下に記述する。
【０００８】
図１４に、刺激装置と併用される従来の小口径勾配磁場コイルの横断面図を示す。なお、図１４では、位相エンコード用勾配磁場の電流分布のみ示している。勾配コイル９１は、コイルボビン９２と、コイルボビン９２に保持されたコイルセグメント９３，９４とから構成される。コイルボビン９２の一部には窓９５が形成され、外部からの刺激光（刺激信号）はミラー８１で反射され、窓９５を介して被検体１０６に伝達される。
【０００９】
このような外部からミラー８１を介して被検体１０６まで刺激光を伝達する伝達ルートの確保は、刺激装置と併用される小口径勾配磁場コイルに対して、同軸２重円筒形状のＡＳＧＣの採用を拒絶し、ＡＳＧＣでない主コイルのみの１重円筒形状コイルのみの採用しか許さない。なぜなら、上記伝達ルートを確保するためにシールドコイルに窓を明けることは、ここから磁場の漏洩を見逃してしまうからである。
【００１０】
【発明が解決しようとする課題】
本発明の目的は、刺激装置と併用することのできるＡＳＧＣタイプの勾配磁場コイル及びこれを用いた磁気共鳴映像装置を提供することである。
【００１１】
【課題を解決するための手段】
本発明の第１局面による勾配磁場コイルは、勾配磁場を発生するための第１のコイルと、前記第１のコイルからの漏洩磁場を低減するための第２のコイルと、刺激信号を発生するための刺激装置とを具備し、前記第１のコイルは、静磁場方向に沿って所定の距離を隔てて並列される２つのコイルセグメントを有し、前記刺激装置は、前記２つのコイルセグメントの間において組み込まれている。
本発明の第２局面による勾配磁場コイルは、勾配磁場を発生するための第１のコイルと、前記第１のコイルからの漏洩磁場を低減するための第２のコイルと、刺激信号を発生するための刺激装置とを具備し、前記第１のコイルは、電流の静磁場方向に沿った空間的な電流分布において、前記勾配磁場の発生に直接的に寄与する有効電流成分が静磁場方向に沿って所定の距離を隔てて２か所に分布されるように形成され、前記刺激装置は、前記有効電流成分の間において組み込まれている。
【００１２】
また、第１のコイルと第２のコイルは、所定の撮像領域における磁場強度の線形性を確保するように形成される。
また、第１のコイルと被検体との間に設けられる電磁シールド部材をさらに備えることを特徴とする。
【００１３】
また、電磁シールド部材は、刺激信号が被検体に伝達可能となるように、刺激装置と被検体とに挟まれる領域の少なくとも一部において、網状又はスリットが設けられた導体により形成される。
【００１４】
また、電磁シールド部材は、刺激信号が被検体に伝達可能となるように、刺激装置と被検体とに挟まれる領域の少なくとも一部において、透明な導体により形成される。
【００１５】
また、刺激装置と被検体との間に設けられ、刺激装置から被検体への刺激信号の伝達経路を変更する手段がさらに備えられる。
【００２２】
【発明の実施の形態】
以下、本発明を実施の形態に基づいて説明する。
（第１の実施の形態）
図１は、本発明の磁気共鳴映像装置の構成を示すブロック図である。磁気共鳴映像装置の主要構造物であるところのガントリには、被検体１０６が挿入される円筒状の内部空間を有し、外側から順に静磁場磁石１０１、勾配磁場コイル、プローブ１１１が装備される。
【００２３】
静磁場磁石１０１は励磁用電源１０２に駆動され、撮像領域内に静磁場を発生する。この静磁場の方向をＺ方向として定義し、また、このＺ方向に直交する方向（通常は鉛直方向）をＹ方向、Ｚ方向とＹ方向とに直交する方向（通常は水平方向）をＸ方向として定義する。
【００２４】
勾配磁場コイルとしては、脳機能イメージング時にオプション的に使用されるものであって、被検体の頭部を取り囲むように装着可能な比較的小口径の漏洩磁場シールド型勾配磁場コイル（アクティブシールド勾配磁場コイル：以下、ＡＳＧＣと略す）が採用される。なお、ガントリには、全身用勾配磁場コイルが固定的に設けられており、脳機能イメージング時に比較的小口径のＡＳＧＣは、この全身用勾配磁場コイルと併用される可能性がある。
【００２５】
ＡＳＧＣは、勾配磁場を発生するための主コイル１０３と、主コイル１０３の外側に配置され、主コイル１０３から外部に漏洩する漏洩磁場を少なくとも低減し、好ましくは漏洩磁場を打ち消して実質的にゼロにするためのシールドコイル１０４とを有する。本発明のＡＳＧＣの内部には、刺激信号を発生するための刺激装置１１９が組み込まれる。
【００２６】
刺激装置１１９は、脳機能イメージングの際に適度の間隔と周期で視覚や聴覚や触覚や嗅覚等の各種刺激信号を発生し、撮像領域内に挿入された被検体１０６に与える。なお、ここでは刺激装置１１９として視覚的刺激信号を被検体１０６に与える視覚刺激装置２４が採用されるものとして説明するが、聴覚や触覚や嗅覚等の他の種類の刺激信号を被検体１０６に与える装置であってもよい。さらに、視覚刺激装置２４は１台に限らず複数台がＡＳＧＣ２１に組み込まれていてもよいし、複数種類の刺激装置がＡＳＧＣ２１に組み込まれていてもよい。
【００２７】
視覚刺激装置２４としては、光ファイバーを複数本束ねてその端面において２次元的な記号を表示できるようにした光ファイバーバンドルタイプ、ダイオードを２次元的に配列させたもの、液晶ディスプレイ、ＣＲＴ、フラッシュ装置等の視覚的刺激信号を発生することができるものが採用されるが、磁場の歪みや渦電流の発生を回避する観点から光ファイバーバンドルタイプが好ましい。なお。視覚刺激装置２４への入力／電力供給線２５は主コイル１０３とシールドコイル１０４との間を通している。当然ながら、入力／電力供給線２５は主コイル１０３の内側に這わせることもできる。
【００２８】
主コイル１０３は、勾配コイル用電源１０５にて駆動され、撮像領域にＸＹＺ各方向の勾配磁場を各々独立して発生することができるように、ＸコイルとＹコイルとＺコイルとを有する。シールドコイル１０４は、主コイル１０３と直列接続されていてもよいし、専用の電源に接続されていてもよい。
【００２９】
渦補償回路１０７は、システムコントローラ１１６からの勾配磁場の時間波形信号を渦磁場の時間応答を補償するように補正して勾配コイル用電源１０５に供給する。勾配コイル用電源１０５は、補正された時間波形信号に応じた時間波形で主コイル１０３に電流を供給する。
【００３０】
シムコイル１０８は、シムコイル用電源１０９に駆動され、静磁場の均一性を調整するための磁場を発生する。
送信部１１０は、高周波信号をプローブ１１１に供給する。これによりプローブ１１１から被検体１０６に高周波磁場が印加される。プローブ１１１は送受両用でも送受信別々に設けてもよい。
【００３１】
プローブ１１１と主コイル１０３との間には、高周波シールド１１２が配設されている。
受信部１１３は、プローブ１１１を介して被検体１０６からの磁気共鳴信号を受信し、検波し、そしてデータ収集部１１４に供給する。データ収集部１１４は、受信部１１３でＡ／Ｄ変換された磁気共鳴信号をデータ処理部１１５に送る。データ処理部１１５は、データ収集部１１４から送られた磁気共鳴信号に対してフーリエ変換等の処理を施し、被検体内部の所望原子核の密度分布や脳機能画像などを再構成する。得られた画像は画像ディスプレイ１１８に表示される。
【００３２】
上述した励磁用電源１０２、勾配コイル用電源１０５、シムコイル用電源１０９、送信部１１０、受信部１１３、データ収集部１１４、データ処理部１１５は、コンソール１１７を介して設定された各種撮影条件にしたがってシステムコントローラ１１６により制御される。
【００３３】
主コイル１０３のＸ／Ｙ／Ｚコイルは次のように構成される。図２に示すように、Ｚコイルは、ループ状の２つのコイルセグメントがＺ方向に離間して配置されてなる。Ｘコイルは、図３（ａ）に示すように、Ｙ−Ｚ面を挟んで向き合って配置された２つのサドル型のコイルセグメントを１セットとして、２つのセットがＸ−Ｙ面に関して対称的に配置される。Ｙコイルは、図３（ｂ）に示すように、Ｘ−Ｚ面を挟んで向き合って配置された２つのサドル型のコイルセグメントを１セットとして、２つのセットがＸ−Ｙ面に関して対称的に配置される。
【００３４】
図３（ａ），（ｂ）はいわゆる対称型と呼ばれているタイプであるが、Ｘコイル、Ｙコイルは図４（ａ），（ｂ）に示すように、４つのコイルセグメント各々の勾配磁場の発生に直接的に寄与する有効電流成分を一端側に分布させ、また返り線により形成される無効電流成分を他端側に偏って分布させたいわゆる非対称型と呼ばれるタイプであってもよい。
【００３５】
さらに、Ｘコイル、Ｙコイルとしては図５（ａ）に横軸をＺ、縦軸を円周方向とした展開図として示すようなタイプであってもよい。このタイプは、ＸコイルであればＹ−Ｚ面、ＹコイルであればＸ−Ｚ面を挟んで向き合って配置されたコイル線材が渦巻き状に配線されているいわゆる分布型（スパイラル型）の２つのコイルセグメントを１セットとして、２つのセットがＸ−Ｙ面に関して対称的に配置される。図５（ｂ）には図５（ａ）に対応する分布型シールドコイルの展開図を示す。
【００３６】
さらに、Ｘコイル、Ｙコイルとしては図６（ａ）に展開図として示すようなタイプであってもよい。このタイプは、コイル線材が渦巻き状に配線されているいわゆる分布型の２つのコイルセグメントがＸコイルであればＹ−Ｚ面、ＹコイルであればＸ−Ｚ面を挟んで向き合って配置された非対称型のものである。図６（ｂ）には図６（ａ）に対応する分布型シールドコイルの展開図を示す。
【００３７】
なお、以下に用いられる電流分布とは、電流振幅のＺ方向（静磁場方向）に沿った空間的な分布として定義する。この電流分布には、有効電流成分と、無効電流成分とが含まれる。有効電流成分とは、勾配磁場の発生に直接的に寄与する電流成分として定義する。無効電流成分とは、勾配磁場の発生に直接的に寄与しない電流成分をいい、これは有効電流成分を形成するコイル線材に対して逆の向きに電流が流れるいわゆる返り線により分布される。
【００３８】
ここで、図３、図４、図５（ａ）、図６（ａ）において、有効電流成分を形成するコイル線群をＡとして表し、無効電流成分を形成するコイル線群をＢとして表している。本発明の特徴の１つは、視覚的刺激信号を被検体１０６に伝達することを考慮して、視覚刺激装置２４をＡＳＧＣ２１に組み込むスペースを効果的に確保するために、Ｘコイル、Ｙコイルの主コイルを構成するコイルセグメントを、そのタイプの如何に関わらず、それによる有効電流成分がＺ方向に沿って所定距離だけ離間して２か所に分布されるように配置し形成することにある。視覚刺激装置２４は、Ｚ方向に沿って２か所に離散された有効電流成分の間に組み込まれる。
【００３９】
以下に、Ｙコイルとして図５の分布型コイルセグメントセットがＸ−Ｙ面に関して対称に配置されるタイプが採用されているものとして図７を参照して具体的に説明する。図７の電流分布は、図５のタイプに対応している。
【００４０】
図７は第１の実施の形態によるＡＳＧＣのＹ−Ｚ面の縦断面図であり、図８は図７のＡＳＧＣのＸ−Ｙ面の横断面図である。図７、図８は、Ｙコイルの電流分布のみ示している。Ｘコイルの電流分布は、Ｙコイルの電流分布をＺ軸回りに９０°回転した状態として表すことができる。
【００４１】
Ｙコイルの主コイルを構成する４つのコイルセグメントのうちＺ方向に並列される２つのコイルセグメントは、有効電流成分１１２，１１４と、無効電流成分１１３，１１５とを形成する。有効電流成分１１２，１１４がＺ方向に沿って所定距離だけ離間して分布されるように、Ｚ方向に並列される２つのコイルセグメントは、Ｚ方向に沿って所定距離だけ離間して配置される。なお、従来においては、Ｚ方向に並列される２つのコイルセグメントは、各セグメントの有効電流成分１１２，１１４がＺ方向に沿って連続的に分布されるように、非常に近接して並列されている。
【００４２】
視覚刺激装置２４は、離間された２つの有効電流成分１１２，１１４の間、つまりＺ方向に沿って所定距離だけ離間して並列された２つのコイルセグメントの間に設置される。逆説的には、全ての電流成分１１２〜１１５が、視覚刺激装置２４と被検体１０６とに挟まれる領域外に分布するように、Ｙコイルを構成する４つのコイルセグメントが配置される。
【００４３】
コイル線材（導体）が存在していない有効電流成分１１２，１１４の間に対応する主コイル１０３のコイルボビン１１６の一部分は、くり抜かれて、ここに窓１１７が形成される。
【００４４】
視覚刺激装置２４は、ＡＳＧＣ２１の内部であって、窓１１７に対応する位置に組み込まれる。つまり、視覚刺激装置２４は、被検体１０６に視覚的刺激信号を伝達可能な状態で、ＡＳＧＣ２１の主コイル１０３とシールドコイル１０４との間に組み込まれることになる。
【００４５】
被検体の大脳において良好な勾配磁場線形性を得るように電流分布を決めた場合、Ｘ／Ｙ／Ｚコイルともに、Ｚ方向に沿って並列される２つのコイルセグメント各々はＺ＝０（撮像領域の中心）から±３０[mm]程度の位置各々に配置されるので、実質的に幅６０[mm]未満の視覚刺激装置２４であれば任意の大きさ・幅のものをＺ＝０に近い上記間に組み込むことができる。
【００４６】
なお、Ｘコイルの場合には、Ｙ軸の周囲に電流分布が存在しないので、視覚刺激装置２４を配置するためのスペースをあえて開ける必要がなく、したがってＹコイルのように、Ｚ方向に沿って並列される２つのコイルセグメントを離間させ、有効電流成分を離散的に分布させる必要はない。ただし、聴覚刺激装置を被検体１０６の耳に対応する位置にセットする場合等では、Ｙコイルと同様に、ＸコイルのＺ方向に沿って並列される２つのコイルセグメントを離間させ、有効電流成分を離散的に分布させることが必要になる。
【００４７】
被検体１０６は、高周波プローブ１１１の電流エレメント（コイル線材）の透き間から窓１１７を通して、ＡＳＧＣ２１の内部に組み込まれた視覚刺激装置２４の表示を見ることができる。
【００４８】
なお、図９に示すように、従来と同様に、有効電流成分１１２，１１４をＺ方向に沿って連続的に分布させるように、Ｚ方向に沿って並列される２つのコイルセグメントを離間させずに配置した主コイル１０３’であっても、図９及び図１０に示すように視覚刺激装置２４を主コイル１０３’の内側、具体的にはコイルボビン１１６の内壁に装着することにより、ＡＳＧＣ２１に刺激装置を組み込むことは可能である。
【００４９】
しかし、図７及び図８に示したように視覚刺激装置２４をＡＳＧＣ２１の内部に組み込むようにしたことは、図９及び図１０に示したように視覚刺激装置２４をＡＳＧＣ２１の主コイル１０３’のコイルボビン１１６の内壁に装着することに比べて、次のような優位性があり、前者が好ましいと言えるが、後者の構成を完全に否定するものではない。
【００５０】
視覚刺激装置２４と被検体１０６の目との距離に注目すると、図７及び図８の構成は、図９及び図１０の構成よりも当該距離が長く、視覚刺激装置２４が被検体１０６の目から十分離れており、被検体１０６に与える苦痛を大幅に減らすことができる。同時に、これによってより広い視野を楽に見渡すことができるので、被検体１０６に画像をみせたり、複数の発光体を同時に見せることもできる。さらに、広い視野を楽に見渡すことと無理に焦点を合わせて見渡すこととは、脳に与える刺激として異なることに注意すべきであり、本発明によって様々な刺激を与えることが可能になってくる。当然のことながら、視覚刺激装置としてディスプレイを使用した場合、被検体をリラックスさせるような映像をみせることもできる。
【００５１】
以上のように本実施の形態によれば、ＡＳＧＣに刺激装置を組み込むことにより、刺激装置とＡＳＧＣとの併用が可能となる。
（第２の実施の形態）
図１１は第２の実施の形態による勾配磁場コイルの縦断面図である。なお、図７と同じ部分には同じ符号を付して説明は省略する。
【００５２】
高周波プローブ１１１のＱ値を大きくするために、ＡＳＧＣ２１の主コイル１０３と高周波プローブ１１１との間に、電磁シールド部材である高周波シールド４３が設置される。高周波シールド４３は、主コイル１０３のコイルボビン１１６の内面に張り付けられる。
【００５３】
視覚刺激装置２４の直下であって、窓１１７に対応する高周波シールド４３の一部分は、きり抜かれて、この切り抜かされた部分には、高周波シールド機能を確保しながら、視覚的刺激信号を被検体１０６に伝達可能とするように、良導体の網４４が嵌め込まれる。この網４４は、複数のスリットが形成された良導体板や透明な導体であってもよい。
【００５４】
本実施の形態によれば、刺激装置の構成に制約を課すことなく、感度の良い計測を実現できる。すなわち、このように構成することで、感度を大幅に落とすことなく、高周波プローブ１１１と干渉するような刺激装置も使用することが可能となる。
（第３の実施の形態）
図１２は第３の実施の形態による勾配磁場コイルの縦断面図である。なお、図７と同じ部分には同じ符号を付して説明は省略する。
【００５５】
被検体１０６と視覚刺激装置２４との間であって、勾配磁場コイル２１の主コイル１０３のコイルボビン１１６に形成されている窓１１７に対応する位置に、光路変更手段としての光学レンズ６１が配置される。光路変更手段としては、光学レンズ６１の他に、フレネルレンズ、ミラー等であってもよい。
【００５６】
遠視等の症状を抱える被検体であっても、眼鏡を掛けたまま撮像領域に入ることはできない。したがって、このような被検体は視覚刺激装置２４の表示画面を良好に確認することができない。
【００５７】
本実施の形態では、光路変更手段により、遠視等の症状を抱える被検体であっても、視覚刺激装置２４の表示画面を良好に確認することができる。
（第４の実施の形態）
図１２は第３の実施の形態による勾配磁場コイルの縦断面図である。なお、図７、図１１と同じ部分には同じ符号を付して説明は省略する。
【００５８】
図１２に示すように、電源及び駆動源を含む光学レンズ移動機構７２は、光学レンズ６１を上下左右にシフト及びスライド可能に支持し、且つ電動で光学レンズ６１を上下左右にシフト及びスライドさせることができるように構成されている。電源及び駆動源を含まず、手動で光学レンズ６１を上下左右にシフト及びスライドさせることができるようにしてもよい。
【００５９】
本実施の形態によれば、視覚に関する個人的な症状に合わせて光学レンズ６１を最適な位置に調整することができる。
本発明は上述した実施の形態に限定されることなく、種々変形して実施可能である。
【００６０】
【発明の効果】
本発明によれば、脳機能イメージングで使用される小口径のアクティブシールド勾配磁場コイル（ＡＳＧＣ）を刺激装置と併用することができるようになる。なぜなら、刺激信号の被検体への伝達を確保しながら、刺激装置を組み込むことが可能となるからである。
【００６１】
上記のごとく構成すれば、脳機能イメージングで使用される小口径のアクティブシールド勾配磁場コイル（ＡＳＧＣ）を刺激装置と併用することができるようになる。なぜなら、第１のコイルを刺激装置と被検体とに挟まれる領域外に配置することにより、刺激信号の被検体への伝達を確保しながら、刺激装置を組み込むことが可能となるからである。
【図面の簡単な説明】
【図１】第１の実施の形態に係る磁気共鳴映像装置の構成を示すブロック図。
【図２】図１の主コイルのＺコイルセグメントを示す斜視図。
【図３】図１の主コイルの対称型のＸコイルセグメント及びＹコイルセグメントを示す斜視図。
【図４】図１の主コイルの非対称型のＸコイルセグメント及び非対称型のＹコイルセグメントを示す斜視図。
【図５】図１の主コイルとシールドコイルそれぞれの対称型の分布型コイルセグメントを示す展開図。
【図６】図１の主コイルとシールドコイルそれぞれの非対称型の分布型コイルセグメントを示す展開図。
【図７】第１の実施の形態によるＡＳＧＣの縦断面図。
【図８】図７に対応するＡＳＧＣの横断面図。
【図９】変形されたＡＳＧＣの縦断面図。
【図１０】変形されたＡＳＧＣの横断面図。
【図１１】第２の実施の形態に係るＡＳＧＣの縦断面図。
【図１２】第３の実施の形態に係るＡＳＧＣの縦断面図。
【図１３】第４の実施の形態に係るＡＳＧＣの縦断面図。
【図１４】従来の刺激装置を併用する勾配磁場コイルの縦断面図。
【符号の説明】
２１…ＡＳＧＣ、
２４…視覚刺激装置、
２５…入力／電力供給線、
１０３…主コイル、
１０４…シールドコイル、
１０６…被検体、
１１１…高周波プローブ、
１１２，１１４…有効電流成分、
１１３，１１５…無効電流成分、
１１６…コイルボビン、
１１７…窓。
【図１】
0003702022.tif 000002
【図２】
0003702022.tif 000003
【図３】
0003702022.tif 000004
【図４】
0003702022.tif 000005
【図５】
0003702022.tif 000006
【図６】
0003702022.tif 000007
【図７】
0003702022.tif 000008
【図８】
0003702022.tif 000009
【図９】
0003702022.tif 000010
【図１０】
0003702022.tif 000011
【図１１】
0003702022.tif 000012
【図１２】
0003702022.tif 000013
【図１３】
0003702022.tif 000014
【図１４】
0003702022.tif 000015